(57)【要約】　　　（修正有）【課題】エアを空気室に出し入れするときの空気圧で、エアを供給するホースが空気室のコネクタから抜けてしまったり、破損してしまう不具合を解消できるエアーマッサージ器を提供する。【解決手段】脚や腕等に巻き付けて装着しうる巻装帯２と、その巻装帯の内面部に形成され、内部にエアを出し入れすることにより膨張・収縮して上記巻装帯に包まれた脚や腕等にマッサージ動作を加えうる空気室３と、その空気室へエアーを供給するホース４とが備えられたエアーマッサージ器１であって、上記ホースにおける上記空気室のコネクタに対する接続部位の近傍に、上記ホースを固定する支持部材８が設けられる。上記ホースを固定する支持部材として、上記ホースの外周に巻き付け可能なテープ状部材２６が用いられる。【選択図】図２
0003100014.tif 000002
【実用新案登録請求の範囲】
【請求項１】
　脚や腕等に巻き付けて装着しうる巻装帯と、その巻装帯の内面部に形成され、内部にエアを出し入れすることにより膨張・収縮して上記巻装帯に包まれた脚や腕等にマッサージ動作を加えうる空気室と、その空気室へエアーを供給するホースとが備えられたエアーマッサージ器であって、
　上記ホースにおける上記空気室のコネクタに対する接続部位の近傍に、上記ホースを固定する支持部材が設けられたことを特徴とするエアーマッサージ器。
【請求項２】
　上記巻装帯は左右一対備えられると共に、その左右の巻装帯が固定される基板部に共通のホース連結室が設けられ、上記ホースは上記ホース連結室内において分岐され、夫々、左右巻装帯の空気室のコネクタに接続されていることを特徴とする請求項１記載のエアーマッサージ器。
【請求項３】
　上記ホースを固定する支持部材として、上記ホースの外周に巻き付け可能なテープ状部材が用いられたことを特徴とする請求項１又は２記載のエアーマッサージ器。
【請求項４】
　上記テープ状部材は、布製で、輪状にされて上記ホースの外周に巻き付けられるとともに、その両端部が重ね合わされて上記ホース連結室の内面部に縫着により接合されたことを特徴とする請求項３記載のエアーマッサージ器。
【考案の詳細な説明】
【技術分野】
【０００１】
　本考案は、空気圧で脚や腕等をマッサージすることができるエアーマッサージ器に関する。
【背景技術】
【０００２】
　従来、脚や腕等に巻き付けて装着しうる巻装帯と、その巻装帯の内面部に形成され、内部にエアを出し入れすることにより膨張・収縮して上記巻装帯に包まれた脚や腕等に繰り返し圧迫を加えることによりマッサージ効果を生じさせる空気室と、その空気室へエアーを供給するホースとが備えられたエアーマッサージ器が存在する。
【０００３】
　そして、上記ホースは所要位置に配置し易くするために、塩ビ等の柔らかく曲げやすい素材を用いて形成され、空気室のコネクタに接続されている。
【０００４】
　上記のような従来のエアーマッサージ器は、空気室にエアを出し入れするときの空気圧が約１０ｋｇ程度まで達するので、その圧力の影響が上記ホースにおけるコネクタに対する接続部位にも及ぶことになる。
　すなわち、エアーを供給及び排気するときの空気圧で、上記ホースにおけるコネクタに対する接続部位の近傍が揺さ振られ、その揺さ振られる動作が繰り返されると、上記ホースがコネクタから抜けて分解したり、ひどい場合は破損してしまい、空気室に対するエアーの供給が阻害されるという不具合があった。
【０００５】
　なお、本出願人はマッサージ器の先行技術を調査し、その結果、エアーを用いたものは各種見出すことができたが（例えば特許文献１参照）、上記の不具合を解消できる手段を具えたエアーマッサージ器に関する先行技術文献を見出すことはできなかった。
【特許文献１】特開２００１−１７８７９０号公報
【考案の開示】
【考案が解決しようとする課題】
【０００６】
　本考案は上記の不具合を解消できるエアーマッサージ器の提供、すなわち、エアを空気室に出し入れするときの空気圧で、エアを供給するホースが空気室のコネクタから抜けてしまったり、破損してしまう不具合を解消できるエアーマッサージ器の提供を課題とする。
【課題を解決するための手段】
【０００７】
　上記課題を解決するために、本考案のエアーマッサージ器は、脚や腕等に巻き付けて装着しうる巻装帯と、その巻装帯の内面部に形成され、内部にエアを出し入れすることにより膨張・収縮して上記巻装帯に包まれた脚や腕等にマッサージ動作を加えうる空気室と、その空気室へエアーを供給するホースとが備えられたエアーマッサージ器であって、上記ホースにおける上記空気室のコネクタに対する接続部位の近傍に、上記ホースを固定する支持部材が設けられたことを特徴とする。
　すなわち、本考案のエアーマッサージ器にあっては、空気室へエアーを出し入れする場合に空気圧でホースが揺さ振られるのを防止するために、上記ホースにおける上記空気室のコネクタに対する接続部位の近傍を支持部材により固定するものである。
【０００８】
　また、本考案のエアーマッサージ器は、上記巻装帯が左右一対備えられると共に、その左右の巻装帯が固定される基板部に共通のホース連結室が設けられ、上記ホースは上記ホース連結室内において分岐され、夫々、左右巻装帯の空気室のコネクタに接続されているものとすることができる。
　これにより、左右一対の巻装帯へ接続するホースの数が減少するとともに、ホースとコネクタの接続部がホース連結室内に収容されて保護される。
【０００９】
　また、本考案のエアーマッサージ器は、上記ホースを固定する支持部材として、上記ホースの外周に巻き付け可能なテープ状部材が用いられたものとすることができる。
　すなわち、上記ホースを固定するために特別な固定装置を設ける必要はなく、テープ状部材でも上記ホースを十分に固定することができる。
【００１０】
　また、本考案のエアーマッサージ器は、上記テープ状部材が、布製で、輪状にされて上記ホースの外周に巻き付けられるとともに、その両端部が重ね合わされて上記ホース連結室の内面部に縫着により接合されたものとすることができる。
　すなわち、上記テープ状部材で上記ホースを固定するには、上記テープ状部材を上記ホースの外周に巻き付けた状態で、その両端部を一緒に上記ホース連結室の内面部に縫着すればよい。
【考案の効果】
【００１１】
　請求項１記載の本考案のエアーマッサージ器は、上記ホースにおける上記空気室のコネクタに対する接続部位の近傍に、上記ホースを固定する支持部材が設けられたので、空気室にホースでエアーを供給したり逆に排気する場合に、その空気圧で上記ホースが揺さ振られる動作が防止される。従って、ホースがコネクタから抜けて分解したり、破損するという不具合が解消される。
【００１２】
　請求項２記載の本考案のエアーマッサージ器は、上記巻装帯が左右一対備えられると共に、その左右の巻装帯が固定される基板部に共通のホース連結室が設けられ、上記ホースは上記ホース連結室内において分岐され、夫々、左右巻装帯の空気室のコネクタに接続されるので、左右一対の巻装帯へ接続するホースの数を減少してホースが乱雑になるのを防止できる。
　従って、ホースが整理されるので固定し易くなる。また、ホースとコネクタの接続部がホース連結室内に収容されて保護されるので、ホースとコネクタの接続部やホースを固定する支持部材が外圧の影響を受けにくくなる。従って、ホースとコネクタの接続部やホースを固定する支持部材が外圧で損傷しにくくなる。
【００１３】
　請求項３記載の本考案のエアーマッサージ器は、上記ホースを固定する支持部材として、上記ホースの外周に巻き付け可能なテープ状部材が用いられたので、上記ホースを固定するために特別な固定装置を設ける必要がなく、製造コストの上昇を回避することができる。
【００１４】
　請求項４記載の本考案のエアーマッサージ器は、上記テープ状部材が、布製で、輪状にされて上記ホースの外周に巻き付けられるとともに、その両端部が重ね合わされて上記ホース連結室の内面部に縫着により接合されるので、上記テープ状部材によるホースの固定が極めて簡単で、製造工程の複雑化を回避して製造コストを低減することができる。
【考案を実施するための最良の形態】
【００１５】
　以下、添付した図面を参照して本考案の実施の形態について説明する。
　本実施形態に係るエアーマッサージ器１は、図１に示すように、脚や腕等に巻き付けて装着しうる巻装帯２，２と、図２に示すように、その巻装帯２，２の内面部に形成され、内部にエアを出し入れすることにより膨張・収縮して上記巻装帯２，２に包まれた脚や腕等にマッサージ動作を加えうる空気室３，３と、図２〜図４に示すように、その空気室３，３へエアーを供給するホース４，４，４とが備えられたエアーマッサージ器１であって、図４及び図５に示すように、上記ホース４，４，４における上記空気室３，３のコネクタ７，７，７，７，７，７に対する接続部位の近傍に、上記ホース４，４，４を固定する支持部材８，８，８，８，８，８が設けられている。
　そして、図１に示すように、上記巻装帯２，２は左右一対備えられると共に、図２〜図４に示すように、その左右の巻装帯２，２が固定される基板部５に共通のホース連結室６が設けられ、図４に示すように、上記ホース４，４，４は上記ホース連結室６内において分岐され、夫々、左右巻装帯２，２の空気室３，３のコネクタ７，７，７，７，７，７に接続されている。
　また、図４及び図５に示すように、上記ホース４，４，４を固定する支持部材８，８，８，８，８，８として、上記ホース４，４，４の外周に巻き付け可能なテープ状部材２６，２６，２６，２６，２６，２６が用いられている。
　また、上記テープ状部材２６，２６，２６，２６，２６，２６は、布製で、図４及び図５に示すように、輪状にされて上記ホース４，４，４の外周に巻き付けられるとともに、その両端部が重ね合わされて上記ホース連結室６の内面部に縫着により接合されている。
【実施例１】
【００１６】
　図は本考案の実施例を示したものである。
　まず、本実施例に係るエアーマッサージ器１には、図１に示すように、脚の脹脛等の部位に巻き付けて装着しうる左右一対の巻装帯２，２が備えられている。
【００１７】
　上記左右一対の巻装帯２，２は，図１に示すように、平行に配置されて基板部５の上に取り付けられている。
【００１８】
　上記一対の巻装帯２，２は、図２に示すように、硬質プラスチック製の芯板９，９の内外両面が布地で覆われた構成を有し、方形板状に展開しうるとともに、筒状に曲げて、その内側に脚の脹脛等を包むことができるように変形可能に形成されている。
【００１９】
　上記一対の巻装帯２，２には、図２に示すように、その幅方向の一端の内面部に面ファスナの雄部材が１０，１０が取り付けられるとともに、他端の外面側を覆う表地１１，１１には、当該巻装帯２，２を上記のように筒状に丸めた状態で、上記面ファスナの雄部材１０，１０が、面ファスナの雌部材に対するのと同様に、着脱可能に係止しうる起毛状の生地が使用されている。
【００２０】
　図２に示すように、上記一対の巻装帯２，２の内面部には、夫々、空気室３，３が形成されている。この空気室３，３の内部には、図２に示すように、気密性及び弾力性を有して伸縮容易なゴム等の素材で形成された空気袋１２，１２が収容されている。この空気袋１２，１２は、その内部にエアーを送入することにより膨張し、又、逆に排気することにより収縮するように形成されている。
【００２１】
　図４に示すように、上記空気袋１２，１２における長さ方向の３箇所、すなわち、両端部と中央部とに、それぞれ、開口部が設けられ、その開口部には硬質プラスチック製のホース接続用コネクタ７，７，７，７，７，７が取り付けられている。
【００２２】
　また、図２〜図４に示すように、上記基板部５の下側には袋状のホース連結室６が形成されている。
【００２３】
　図２、図４及び図５に示すように、上記ホース接続用コネクタ７，７，７，７，７，７は略Ｌ字形のパイプ状に形成されて、上記基板部５を貫通して、上記ホース連結室６内に突出している。
【００２４】
　上記ホース連結室６には、図１及び図３に示すように、布製で筒状に形成されたホースカバー１３が接続され、そのホースカバー１３の内部に３本のホース４，４，４が挿通されている。
【００２５】
　上記ホース４，４，４の先端部は、図３及び図４に示すように、上記ホース連結室６内に収容されている。そのホース４，４，４の先端部は、図４に示すように、Ｔ字形に形成された継手管２３，２３，２３を介して左右に分岐されている。
　そして、その分岐ホース部２４，２４，２４，２４，２４，２４は、それぞれ、左右の空気室３，３のコネクタ７，７，７，７，７，７に接続されている。すなわち、コネクタ７，７，７，７，７，７の先端部が分岐ホース部２４，２４，２４，２４，２４，２４に挿入されて、その分岐ホース部２４，２４，２４，２４，２４，２４の外周が締め具１４，１４，１４，１４，１４，１４により固定されて接続されている。
【００２６】
　また、上記ホース４，４，４の基端部は、図１に示すように、操作盤１５に接続されている。この操作盤１５には、図１に示すように、上記空気室３，３の空気袋１２，１２にエアーを給気するための加圧ポンプ１６、上記空気袋１２，１２からエアーを抜くための排気弁１７、エアーの給気と排気を切り替えるための切り替え弁１８、上記空気室３，３の膨張・収縮等を制御するための制御部１９、上記加圧ポンプ１６等を作動・停止させるための操作部２０等が具えられている。なお、上記操作盤１５には電源接続コード２５も取り付けられている。
【００２７】
　上記一対の巻装帯２，２を脚の脹脛等に巻き付けて装着した状態で、上記操作部２０により上記加圧ポンプ１６を作動させると、上記ホース４，４，４を通って上記空気室３，３の空気袋１２，１２にエアーが送られる。
　そのエアーは、上記空気袋１２，１２に入って、上記空気袋１２，１２が膨張するが、その空気袋１２，１２の外側には上記巻装帯２，２の芯板９，９が存在するので、空気袋１２，１２は上記巻装帯２，２の内方だけに膨張する。これにより、巻装帯２，２に包まれた脚の脹脛等は空気袋１２，１２により圧迫される。
【００２８】
　次に、上記空気袋１２，１２からエアーを排気すると、上記空気袋１２，１２が収縮し、脚の脹脛等に対する圧迫が解除される。そして、この圧迫及び圧迫解除を繰り返す動作が、マッサージ動作の一種である揉み動作と同じ動作になって、脚の脹脛等はマッサージ効果を得られることになる。
【００２９】
　ところで、上記ホース４，４，４から上記コネクタ７，７，７，７，７，７を介して空気袋１２，１２にエアーを給気したり、逆に空気袋１２，１２から排気する場合に、ホース４，４，４とコネクタ７，７，７，７，７，７との接続部にも空気圧が作用することになる。
　そして、この空気圧は１０ｋｇにも達することがある。この場合、上記コネクタ７，７，７，７，７，７は固定されていて空気圧により動くことはないが、上記分岐ホース部２４，２４，２４，２４，２４，２４の先端部がコネクタ７，７，７，７，７，７に接続されているだけだと、空気圧により揺さ振られることになる。
　従って、この揺さ振り動作が繰り返されると、分岐ホース部２４，２４，２４，２４，２４，２４がコネクタ７，７，７，７，７，７から抜けて分解したり、柔らかな素材で形成された分岐ホース部２４，２４，２４，２４，２４，２４の先端近傍が破損したりする不具合が生じる。
【００３０】
　そこで、上記の不具合を解消するために、図４及び図５に示すように、上記分岐ホース部２４，２４，２４，２４，２４，２４における上記コネクタ７，７，７，７，７，７に対する接続部位の近傍に、上記分岐ホース部２４，２４，２４，２４，２４，２４を固定する支持部材８，８，８，８，８，８として布製テープ状部材２６，２６，２６，２６，２６，２６が取り付けられている。
【００３１】
　すなわち、上記布製テープ状部材２６，２６，２６，２６，２６，２６は、図４及び図５に示すように、輪状にされて、上記分岐ホース部２４，２４，２４，２４，２４，２４の外周に巻き付けられるとともに、そのテープ状部材２６，２６，２６，２６，２６，２６の両端部が合わせられて、一緒に上記ホース連結室６の内面部に縫着により接合されている。
　これにより、分岐ホース部２４，２４，２４，２４，２４，２４の先端部は固定されて、空気圧が作用しても揺さ振られるのが防止されるので、分岐ホース部２４，２４，２４，２４，２４，２４がコネクタ７，７，７，７，７，７から抜けて分解したり、破損するという不具合が解消される。
【００３２】
　また、上記ホース連結室６の内部には、図２及び図３に示すように、ウレタン等の柔軟性及び弾力性を有する緩衝部材２１が、上記ホース４，４，４やコネクタ７，７，７，７，７，７の外側を覆う状態で収容されている。従って、上記緩衝部材２１により、上記ホース４，４，４とコネクタ７，７，７，７，７，７との接続部位が保護され、外圧を受けても損傷が防止される。
【００３３】
　なお、図１及び図３に示すように、上記ホース連結室６は一辺がスライドファスナ２２で開閉しうるように形成されている。
【産業上の利用可能性】
【００３４】
　本考案は、エアーを用いてマッサージをするために、空気室にホースを接続した構造を有する全てのマッサージ器に適用することができる。
【図面の簡単な説明】
【００３５】
【図１】斜視図である。
【図２】図１のＡ−Ａ線断面図である。
【図３】図１のＢ−Ｂ線断面図である。
【図４】裏面側の基板部の一部が切断された状態の斜視図である。
【図５】図４のＣ部拡大斜視図である。
【符号の説明】
【００３６】
　１　　エアーマッサージ器
　２　　巻装帯
　３　　空気室
　４　　ホース
　５　　基板部
　６　　ホース連結室
　７　　コネクタ
　８　　支持部材
　９　　芯板
１０　　面ファスナの雄部材
１１　　表地
１２　　空気袋
１３　　ホースカバー
１４　　締め具
１５　　操作盤
１６　　加圧ポンプ
１７　　排気弁
１８　　切り替え弁
１９　　制御部
２０　　操作部
２１　　緩衝部材
２２　　スライドファスナ
２３　　継手管
２４　　分岐ホース部
２５　　電源接続コード
２６　　テープ状部材
【図１】
0003100014.tif 000003
【図２】
0003100014.tif 000004
【図３】
0003100014.tif 000005
【図４】
0003100014.tif 000006
【図５】
0003100014.tif 000007